(57)【要約】【課題】薄型化及び狭額縁化を維持し、杆状をなす枠構成部材の連結具への誤挿入を防止することができる表示装置及びテレビジョン受信機を提供することを目的とする。【解決手段】傾斜面２６ｂに対応した凹部４２に縦枠構成部材２０２の端部を挿入するだけで組み立てることができ、前キャビネット２０の組立に大きな空間を必要とせず、薄型化及び狭額縁化を維持することができる。また一のテレビジョン受信機において、縦枠構成部材２０２の端部に傾斜面２６ｂを形成し、連結具４０に傾斜面２６ｂに対応した凹部４２を形成し、他のテレビジョン受信機において、前記傾斜面２６ｂを有さない縦枠構成部材２０２と、該縦枠構成部材２０２に対応した連結具を使用することによって、誤挿入を防止することができる。【選択図】図４
2013222104.tif 000002
【特許請求の範囲】
【請求項１】
映像を表示する表示パネルと、該表示パネルに周設してあり、杆状をなす複数の枠構成部材と、該枠構成部材の端部を互いに連結する連結具とを備える表示装置において、
前記枠構成部材の端部に傾斜面又は切欠が形成してあり、
前記連結具は前記傾斜面又は切欠に対応した形状をなし、前記枠構成部材を挿入する凹部を有すること
を特徴とする表示装置。
【請求項２】
前記枠構成部材にねじ孔が設けてあり、
前記連結具に、前記ねじ孔に対応する位置にてねじが挿通する挿通孔が設けてあり、
前記枠構成部材の挿入方向に沿って前記挿通孔から離隔した位置に前記凹部の底面を配してあること
を特徴とする請求項１に記載の表示装置。
【請求項３】
前記挿通孔及び底面間の距離は前記枠構成部材の端面が平坦である場合に設定される距離よりも長いこと
を特徴とする請求項２に記載の表示装置。
【請求項４】
請求項１から３のいずれか一つに記載の表示装置と、
テレビジョン放送を受信する受信部と
を備え、
前記受信部にて受信したテレビジョン放送に基づいて、前記表示装置に映像を表示するようにしてあること
を特徴とするテレビジョン受信機。 
【発明の詳細な説明】
【技術分野】
【０００１】
本発明は映像を表示する表示装置及びテレビジョン受信機に関する。
【背景技術】
【０００２】
表示画面の大きさに比べて室内の占有面積が小さい薄型の表示装置、例えば液晶表示装置は、限られた室内空間を有効に利用することができることから、一般に広く普及している。液晶表示装置は、矩形枠状のキャビネットを有しており、該キャビネットに映像を表示する表示パネル及び光源を収容している。
【０００３】
光源は発光と共に熱を発するが、このようなキャビネット内にて発生した熱によって表示パネルの駆動を制御する制御回路、画像を処理する処理回路等が誤動作することがある。そのため近年では、熱を効率よく放出すべく、キャビネットを金属にて構成した液晶表示装置が提案されている。
【０００４】
キャビネットは、例えば、金属部材を押出成形して、杆状をなす複数の枠構成部材を製造し、枠構成部材を連結具にて連結することによって組み立てられる。押出成形による製造は、金型を用いたプレス成形又は切削加工による製造に比べて、製造費用を削減することができる。また表示画面の寸法（映像が表示される部分の寸法）に応じた設計変更にも容易且つ柔軟に対応することができる。
【０００５】
表示パネルに使用する光源の色は従来３色（赤、緑及び青）であったが、最近では４色（赤、緑、青及び黄）を使用する表示パネルが提案されている。３色の表示パネルと、４色の表示パネルとは、表示画面の寸法が同じであっても、表示パネルの外形寸法が異なる。そのため液晶表示装置全体の寸法が同じになるように、各表示パネルの寸法に対応させて連結具を設計しており、３色の表示パネルに係る連結具の寸法と４色の表示パネルに係る連結具の寸法とは異なる。
【０００６】
一方で３色の表示パネルに係る枠構成部材と、４色の表示パネルに係る枠構成部材とはその寸法が略同じである。そのため作業者が誤って３色の表示パネルに係る枠構成部材を４色の表示パネルに係る連結具によって連結するか又はその逆を行ってしまう場合がある。この場合、液晶表示装置を分解して組み立て直す必要があり、製造効率の低下を招来する。
【０００７】
特許文献１には、雄型のコネクタと雌型のコネクタに、誤挿入防止のためにそれぞれ凹部及び該凹部に対応した凸部を設けた発明が開示してある。前記凹部及び凸部と同様な構成を枠構成部材及び連結具に設けて、誤挿入防止を図ることも考えられる。
【先行技術文献】
【特許文献】
【０００８】
【特許文献１】特開平１１−１２６６５４号公報
【発明の概要】
【発明が解決しようとする課題】
【０００９】
しかし前記凹部及び凸部は横長であり、前記凹部及び凸部を設けた場合、液晶表示装置が厚くなりやすく、また狭額縁化を図ることが難しくなる。近年、外観意匠性を向上させるべく、液晶表示装置の薄型化及び狭額縁化がユーザから希求されており、この要求に応えることができない。
【００１０】
本発明は係る事情を鑑みてなされたものであり、薄型化及び狭額縁化を維持し、杆状の枠構成部材の連結具への誤挿入を防止することができる表示装置及びテレビジョン受信機を提供することを目的とする。
【課題を解決するための手段】
【００１１】
本発明に係る表示装置は、映像を表示する表示パネルと、該表示パネルに周設してあり、杆状をなす複数の枠構成部材と、該枠構成部材の端部を互いに連結する連結具とを備える表示装置において、前記枠構成部材の端部に傾斜面又は切欠が形成してあり、前記連結具は前記傾斜面又は切欠に対応した形状をなし、前記枠構成部材を挿入する凹部を有することを特徴とする。
【００１２】
本発明においては、傾斜面又は切欠に対応した凹部に枠構成部材の端部を挿入するだけで組み立てることができ、キャビネットの組立に大きな空間を必要とせず、薄型化及び狭額縁化が維持される。また一の表示装置において、枠構成部材の端部に傾斜面又は切欠を形成し、連結具に傾斜面又は切欠に対応した凹部を形成し、他の表示装置において、前記傾斜面又は切欠を有さない枠構成部材と、該枠構成部材に対応した連結具を使用することによって、誤挿入を防止する。
【００１３】
本発明に係る表示装置は、前記枠構成部材にねじ孔が設けてあり、前記連結具に、前記ねじ孔に対応する位置にてねじが挿通する挿通孔が設けてあり、前記枠構成部材の挿入方向に沿って前記挿通孔から離隔した位置に前記凹部の底面を配してあることを特徴とする。
【００１４】
本発明においては、ねじが挿通される挿通孔から所定距離以上離隔した位置に凹部の底面が配してあるので、前記傾斜面又は切欠を有さない枠構成部材を前記凹部に挿入した場合、前記枠構成部材を前記凹部の底面まで挿入することができない。一般に枠構成部材には、挿通孔に対応したねじ孔が設けてあり、連結具の挿通孔にねじを挿入し、ねじ孔に螺合させて両者を連結する。枠構成部材を凹部の底面まで挿入できない場合、挿通孔とねじ孔とが整合せず、作業者は両者を連結することができない。そのため作業者は、枠構成部材の連結具への誤挿入を容易に認識することができる。
【００１５】
本発明に係る表示装置は、前記挿通孔及び底面間の距離は前記枠構成部材の端面が平坦である場合に設定される距離よりも長いことを特徴とする。
【００１６】
本発明においては、前記挿通孔及び底面間の距離を枠構成部材の端面が平坦である場合に設定される距離よりも長くすることで、傾斜面又は切欠を有する枠構成部材を使用する表示装置と傾斜面又は切欠を有する枠構成部材を使用しない表示装置との間で、枠構成部材の連結具への誤挿入を防止することができる。
【００１７】
本発明に係るテレビジョン受信機は、上述したいずれか一つに記載の表示装置と、テレビジョン放送を受信する受信部とを備え、前記受信部にて受信したテレビジョン放送に基づいて、前記表示装置に映像を表示するようにしてあることを特徴とする。
【００１８】
本発明においては、前述したいずれかの表示装置を有するので、前述した表示装置と同様な作用を奏することができる。
【発明の効果】
【００１９】
本発明にあっては、傾斜面又は切欠に対応した凹部に杆状の枠構成部材の端部を挿入するだけで組み立てることができ、キャビネットの組立に大きな空間を必要とせず、薄型化及び狭額縁化を維持することができる。また一の表示装置において、枠構成部材の端部に傾斜面又は切欠を形成し、連結具に傾斜面又は切欠に対応した凹部を形成し、他の表示装置において、前記傾斜面又は切欠を有さない枠構成部材と、該枠構成部材に対応した連結具を使用することによって、誤挿入を防止することができる。
【図面の簡単な説明】
【００２０】
【図１】実施の形態１に係るテレビジョン受信機の前側の外観斜視図である。
【図２】テレビジョン受信機の一部縦断面図である。
【図３】前キャビネットの概略構成を模式的に示す正面図である。
【図４】図２に示すテレビジョン受信機の一部部材を背面側から見た分解斜視図である。
【図５】図４に示す部材を組み付けた状態を示す斜視図である。
【図６】図５に示すテレビジョン受信機の部分背面図である。
【図７】テレビジョン受信機の一部部材を背面側から見た分解斜視図である。
【図８】図７に示す部材を組み付けた状態を示す斜視図である。
【図９】図８に示すテレビジョン受信機の部分背面図である。
【図１０】実施の形態１に係る縦枠構成部材を連結具に誤って挿入した状態を示すテレビジョン受信機の部分背面図である。
【図１１】３色の表示パネルを搭載したテレビジョン受信機に係る縦枠構成部材を実施の形態１に係る連結具に誤って挿入した状態を示すテレビジョン受信機の部分背面図である。
【図１２】実施の形態２に係るテレビジョン受信機の部分背面図である。
【図１３】実施の形態３に係るテレビジョン受信機の部分背面図である。
【発明を実施するための形態】
【００２１】
（実施の形態１）
以下本発明を実施の形態１に係るテレビジョン受信機を示す図面に基づいて詳述する。なお各図において前後左右上下を矢印にて示し、正面側及び背面側はそれぞれ前側及び後側に対応する。図１はテレビジョン受信機の前側の外観斜視図、図２はテレビジョン受信機の一部縦断面図である。
【００２２】
テレビジョン受信機１は、映像を表示する表示装置１００と、表示装置１００内に配設してあり、アンテナ（不図示）から放送波を受信するチューナ（受信部）２００と、表示装置１００内に配設してあり、符号化された放送波を復号するデコーダ３００とを備える。テレビジョン受信機１は、チューナ２００にて受信した放送波をデコーダ３００で復号し、復号した情報に基づいて表示装置１００に映像を表示する。テレビジョン受信機１の下部に、テレビジョン受信機１を支持するスタンド４００を設けてある。
【００２３】
表示装置１００は、前側に表示面１０ａを有する横長の矩形状の表示パネル１０を備えている。表示パネル１０は、前後に縦向きに配置された前キャビネット２０及び後キャビネット３０に縦向きに収容されている。表示パネル１０は液晶パネルであり、４色（赤、緑、青及び黄）を使用している。前キャビネット２０は表示パネル１０の周縁部を覆う矩形状の枠状であり、中央に矩形の開口２０ａを有する。前キャビネット２０は例えばアルミニウム材からなる。後キャビネット３０は、前側が開放された矩形のトレイ状をなし、例えば電気亜鉛めっき鋼鈑からなる。尚、前キャビネット２０及び後キャビネット３０は樹脂部材で構成してもよい。
【００２４】
前キャビネット２０及び後キャビネット３０の上下及び左右寸法は略同一であり、互いの周縁部分が対向する。表示パネル１０の上下及び左右寸法は、前キャビネット２０の開口２０ａよりも若干大きく、表示パネル１０の周縁部分は前キャビネット２０の内縁部分と対向している。
【００２５】
前キャビネット２０は、略Ｌ字形の断面を有する枠部材で構成され、中央部に開口２０ａを有し、前面に露出した矩形枠状の前板部２１と、前板部２１の外縁部分（開口２０ａと反対側の縁部分）から後側に延設された側板部２２とを備えている。前板部２１の開口２０ａの縁部分２１ａが後側に屈曲しており、この屈曲した部分の周囲に弾性部材１４が設けてある。表示パネル１０の周縁部分が弾性部材１４を介して前板部２１の内側縁部に対向することで表示パネル１０の損傷を防止している。弾性部材１４は樹脂部材（例えば高密度マイクロウレタンフォーム、ゴム又はラテックスなど）からなり、縁部分２１ａに沿って連続的又は断続的に配置してある。
【００２６】
前キャビネット２０の側板部２２の外周側には、後キャビネット３０を係止するために前側に窪んだ係止溝２２ａが設けてある。後キャビネット３０は、中央部に前側に突出した板状の凹部３１と、凹部３１の周部後端に連なる板状の周縁部３２とを有する。周縁部３２には貫通孔３２ａが形成されている。
【００２７】
断面がＬ字形の板状の金属部材で構成された光源載置部２３が設けてある。光源載置部２３のＬ字の一方側部分は前後方向に伸び、この一方側部分の内面側に光源ユニット１５が固定されている。光源載置部２３のＬ字の他方側部分はＬ字の一方側部分の後端部から外向きに伸びている。光源ユニット１５は、細長い矩形の基板１５ａと、基板１５ａ上に長手方向に沿って複数の並置されたＬＥＤ（Light Emitting Diode：発光ダイオード）１５ｂとを備えている。基板１５ａは熱伝導性の良い両面テープによって光源載置部２３に接着され、更にねじ止めされている。
【００２８】
光源載置部２３の前端部２３ａを係止する溝部２１ｂが前板部２１の内側に設けられ、Ｌ字の他方側部分には貫通孔２３ｂが形成されている。該貫通孔２３ｂを後キャビネット３０の周縁部３２の貫通孔３２ａに重ねた状態で係止ねじ２４を貫通孔３２ａ及び貫通孔２３ｂに挿通して係止溝２２ａにタッピングによって螺合させることにより、光源載置部２３を前後に挟んだ状態で前キャビネット２０と後キャビネット３０とが結合される。
【００２９】
表示パネル１０の後側に、表示パネル１０に対向する矩形の導光板１１が設けてある。導光板１１の上下及び左右寸法は表示パネル１０より若干大きい。導光板１１の前後位置はＬＥＤ１５ｂの前後位置と略同じであり、導光板１１の周面はＬＥＤ１５ｂに対向し、近接している。導光板１１の前面に、導光板１１の前面から出射された光を均一に拡散する矩形の拡散シート１２と、拡散シート１２によって拡散された光を表示パネル１０へ向けて集光する矩形の光学シート１３とが順に設けてある。光学シート１３は表示パネル１０の後面に近接している。拡散シート１２及び光学シート１３の上下及び左右寸法は導光板１１より小さい。
【００３０】
導光板１１の後面には、入射光を前方に向けて反射する反射シート１６が設けてある。反射シート１６の上下及び左右寸法は導光板１１よりも大きい。ＬＥＤ１５ｂから発せられた光は導光板１１の周面に入射し、導光板１１の内部及び反射シート１６で透過及び反射して、導光板１１の前面から出射される。出射された光は拡散シート１２及び光学シート１３を透過して表示パネル１０に至る。反射シート１６の後側に後キャビネット３０の凹部３１の底部分３１ａが位置し、底部分３１ａは反射シート１６と平行に対向し、近接している。
【００３１】
次に前キャビネット２０の構成について説明する。図３は前キャビネットの概略構成を模式的に示す正面図である。
前キャビネット２０は、矩形の長辺を構成しており、杆状をなす２つの横枠構成部材２０１と、矩形の短辺を構成しており、杆状をなす２つの縦枠構成部材２０２に分割されている。縦枠構成部材２０２の長さは横枠構成部材２０１よりも短い。横枠構成部材２０１は図２に示す略Ｌ字形の断面を有する。縦枠構成部材２０２も略Ｌ字形の断面を有するが横枠構成部材２０１と一部異なる。横枠構成部材２０１及び縦枠構成部材２０２は押出成形によって製造されるが、引き抜き成形、射出成形またプレス成形など他の方法で製造してもよい。
【００３２】
横枠構成部材２０１及び縦枠構成部材２０２の両端部は長さ方向に対して逆向きに略同じ角度で傾斜している。横枠構成部材２０１の端部の傾斜角度と縦枠構成部材２０２の端部の傾斜角度との和は略９０度である（例えば、両方の傾斜角度が４５度である等）。テレビジョン受信機１は、横枠構成部材２０１と縦枠構成部材２０２とを連結する連結具４０を備える（後述する図４参照）。２つの横枠構成部材２０１は、傾斜した端部が内側に向く状態で平行になるように対向配置してあり、また２つの縦枠構成部材２０２は、傾斜した端部が内側に向く状態で且つ横枠構成部材２０１と直交させて平行になるように対向配置してあり、連結具４０は、矩形の４隅で隣り合う横枠構成部材２０１と縦枠構成部材２０２との端部同士を、突き当てた状態で連結している。
【００３３】
次に連結具４０及び横枠構成部材２０１と縦枠構成部材２０２との連結構成について説明する。図４は図２に示すテレビジョン受信機の一部部材を背面側から見た分解斜視図、図５は図４に示す部材を組み付けた状態を示す斜視図、図６は図５に示すテレビジョン受信機の部分背面図である。尚、図４〜図６は正面左下隅部での連結構成を示し、正面右下隅部に配置された部材は正面左下隅部に配置された部材と左右対称であり、正面右上隅部に配置された部材は正面右下隅部に配置された部材と左右対称である。
【００３４】
連結具４０は、横枠構成部材２０１に結合される横板部４０１と、縦枠構成部材２０２に結合される縦板部４０２とを有し、横板部４０１と縦板部４０２により前後方向視で略Ｌ字形をなす。横板部４０１に、横枠構成部材２０１の長手方向に板部の端縁から内側へ窪んだ凹部４１が形成されている。縦板部４０２に、縦枠構成部材２０２の長手方向に板部の端縁から内側へ窪んだ凹部４２が形成されている。凹部４２の底面右側部分には左下方向に下降傾斜した傾斜面４２ｂが形成してあり、底面左側部分に横枠構成部材２０１の長手方向（左右方向）に略平行な平坦面４２ａが形成してある。平坦面４２ａ及び傾斜面４２ｂは、後述する突条部２６の下端部に対応した形状をなす。
【００３５】
横枠構成部材２０１には、横枠構成部材２０１の長手方向に沿って凹部４１に嵌入する突条部２５が形成されている。同様に、縦枠構成部材２０２には、縦枠構成部材２０２の長手方向に沿って凹部４２に嵌入する突条部２６が形成されている。突条部２６の下端部右部分には、左下方向に下降傾斜した傾斜面２６ｂが形成してあり、下端部左部分には、横枠構成部材２０１の長手方向（左右方向）に略平行な平坦面２６ａが形成してある。
【００３６】
Ｌ字状の連結具４０は、内縁側に表示パネル１０の周縁部の前側に位置する縁板部４９を有している。横板部４０１の凹部４１より内側の縁板部４９には、後方へ突出した横長状の突起４３が設けてあり、突起４３の後側端部は面取部４３ａとなっている。縦板部４０２の凹部４２より内側の縁板部４９には、後方へ突出した縦長状の突起４３が設けてあり、突起４３の後側端部は面取部４３ａとなっている。
【００３７】
横板部４０１の凹部４１より外側の部分には、後方へ突出した横板状の突出片４４が設けてある。突出片４４には上下方向向きの貫通孔４４ａが形成されている。尚、光源載置部２３は、突出片４４の外側の面に接しており、貫通孔４４ａの位置に対応したねじ孔２３ｃが形成されている。
【００３８】
縦板部４０２の凹部４２より外側の部分には、板部５０が後方へ突出し、該板部４８の外側側面に上下方向向きの板面を有する板状の突出片４５が設けてあり、突出片４５には、ねじが挿通する挿通孔４５ａが形成されている。
【００３９】
縦枠構成部材２０２には、板状の突出片４５の板厚より若干広い間隔で前後方向に対向した２つの板部２７、２８が設けてある。後側の板部２８は一部に欠落部２８ａを有し、前側の板部２７には欠落部２８ａの位置に対応させてねじ孔２７ａが形成されている。
【００４０】
突条部２５が凹部４１に嵌合されて突条部２５の先端部２５ａが凹部４１の底面４１ａに当接することにより、横枠構成部材２０１と連結具４０との横枠構成部材２０１の長手方向での位置決めがなされる。そして、このように位置決めした状態でねじ４７を突出片４４の貫通孔４４ａを通して光源載置部２３のねじ孔２３ｃにねじ止めすることにより、連結具４０と横枠構成部材２０１とが結合される。
【００４１】
同様に、傾斜面２６ｂ及び平坦面２６ａが傾斜面４２ｂ及び平坦面４２ａに当接することにより、縦枠構成部材２０２と連結具４０との縦枠構成部材２０２の長手方向での位置決めがなされ、ねじ孔２７ａ及び挿通孔４５ａの位置は整合する。そして、このように位置決めした状態でねじ４７を板部２８の欠落部２８ａ及び突出片４５の挿通孔４５ａを通して板部２７のねじ孔２７ａにねじ止めすることにより、連結具４０と縦枠構成部材２０２とが結合される（図６参照）。
【００４２】
Ｌ字状の連結具４０の内側角部に、縁板部４９と同じ面方向を有し、縁板部４９に連なる矩形板状の隠蔽部４６が内側に延設されている。
【００４３】
以上の如く、２つの横枠構成部材２０１と２つの縦枠構成部材２０２と４つの連結具４０との位置合わせ及び結合がなされた前キャビネット２０を前側が下になる状態にする。そして、表示パネル１０の表示面１０ａを下向きにして、表示パネル１０の端部を突起４３の面取部４３ａによって案内しながら、表示パネル１０の端面が前キャビネット２０の突起４３の側面と対向し、表示パネル１０の周縁部の前側に縁板部４９が位置する状態にセットすることができる。この後、表示パネル１０の後面に、光学シート１３、拡散シート１２、導光板１１及び反射シート１６を順次重ね、更に後キャビネット３０を重ねた状態で後キャビネット３０を前キャビネット２０にねじ止めすることにより、表示装置１００が作製される。
【００４４】
次に実施の形態１に係るテレビジョン受信機の比較例として、３色（赤、緑及び青）の表示パネル１０を搭載したテレビジョン受信機の構成について説明する。図７はテレビジョン受信機の一部部材を背面側から見た分解斜視図、図８は図７に示す部材を組み付けた状態を示す斜視図、図９は図８に示すテレビジョン受信機の部分背面図である。尚、図７〜図９は正面左下隅部での連結構成を示し、正面右下隅部に配置された部材は正面左下隅部に配置された部材と左右対称であり、正面右上隅部に配置された部材は正面右下隅部に配置された部材と左右対称である。
【００４５】
３色の表示パネル１０の外形寸法は、４色の表示パネル１０の外形寸法よりも若干小さいため、３色の表示パネル１０を搭載したテレビジョン受信機の連結具１４０は、実施の形態１に係るテレビジョン受信機（４色の表示パネル１０を搭載したテレビジョン受信機）の連結具４０に比べて大寸に設計される。
【００４６】
連結具１４０は凹部４２を備えており、凹部４２の底面は左右方向に略平行な平坦面４２ａをなす。また凹部４２に対応した突条部２６の下端面も、左右方向に略平行な平坦面２６ａをなす。平坦面２６ａが平坦面４２ａに当接することにより、縦枠構成部材２０２と連結具１４０との縦枠構成部材２０２の長手方向での位置決めがなされ、ねじ孔２７ａ及び挿通孔４５ａの位置は整合する。そして、このように位置決めした状態でねじ４７を板部２８の欠落部２８ａ及び突出片４５の挿通孔４５ａを通して板部２７のねじ孔２７ａにねじ止めすることにより、連結具１４０と縦枠構成部材２０２とが結合される（図９参照）。
なお図９及び図６に示すように、３色の表示パネル１０を搭載したテレビジョン受信機の挿通孔４５ａは、上下方向において、実施の形態１に係るテレビジョン受信機よりも平坦面４２ａ（凹部４２の底面）に近い。すなわち、実施の形態１における挿通孔４５ａの中心と平坦面４２ａとの間の距離ｄ１は、３色の表示パネル１０を搭載したテレビジョン受信機における挿通孔４５ａの中心と平坦面４２ａとの間の距離ｄ２よりも長い。
【００４７】
次に実施の形態１に係る縦枠構成部材２０２を連結具１４０に誤って挿入した場合について説明する。図１０は実施の形態１に係る縦枠構成部材２０２を連結具１４０に誤って挿入した状態を示すテレビジョン受信機の部分背面図である。図１０に示すように、作業者が実施の形態１に係る縦枠構成部材２０２を連結具１４０に誤って挿入した場合、平坦面２６ａは連結具１４０の平坦面４２ａに当接する。このとき、平坦面２６ａは挿通孔４５ａから下方に距離ｄ１離隔していなければならないところ、挿通孔４５ａから下方に距離ｄ１よりも小さい距離だけ離隔している。そのためねじ孔２７ａと挿通孔４５ａとの位置が整合せず、作業者は、ねじ４７をねじ孔２７ａにねじ止めすることができず、容易且つ確実に誤挿入を認識することができる。
【００４８】
次に３色の表示パネル１０を搭載したテレビジョン受信機に係る縦枠構成部材２０２を連結具４０に誤って挿入した場合について説明する。図１１は３色の表示パネル１０を搭載したテレビジョン受信機に係る縦枠構成部材２０２を実施の形態１に係る連結具４０に誤って挿入した状態を示すテレビジョン受信機の部分背面図である。図１１に示すように、作業者が３色の表示パネル１０を搭載したテレビジョン受信機に係る縦枠構成部材２０２を連結具４０に誤って挿入した場合、平坦面２６ａは連結具４０の傾斜面４２ｂに当接する。このとき、平坦面２６ａは挿通孔４５ａから下方に距離ｄ２離隔していなければならないところ、挿通孔４５ａよりも上方に位置している。そのためねじ孔２７ａと挿通孔４５ａとの位置が整合せず、作業者は、ねじ４７をねじ孔２７ａにねじ止めすることができず、容易且つ確実に誤挿入を認識することができる。
【００４９】
実施の形態１に係るテレビジョン受信機にあっては、傾斜面２６ｂに対応した凹部４２に枠構成部材２０２の端部を挿入するだけで組み立てることができ、前キャビネット２０の組立に大きな空間を必要とせず、薄型化及び狭額縁化を維持することができる。また一のテレビジョン受信機において、枠構成部材２０２の端部に傾斜面２６ｂを形成し、連結具４０に傾斜面２６ｂに対応した凹部４２を形成し、他のテレビジョン受信機において、前記傾斜面２６ｂを有さない枠構成部材２０２と、該枠構成部材２０２に対応した連結具１４０を使用することによって、誤挿入を防止することができる。
【００５０】
またねじ４７を挿通する挿通孔４５ａから所定距離以上離隔した位置に凹部４２の底面が配してあるので、傾斜面２６ｂを有さない縦枠構成部材２０２を凹部４２に挿入した場合、縦枠構成部材２０２を凹部４２の底面まで挿入することができない。一般に縦枠構成部材２０２には、挿通孔４５ａに対応したねじ孔２７ａが設けてあり、連結具４０の挿通孔４５ａにねじ４７を挿入し、ねじ孔２７ａに螺合させて両者を連結する。縦枠構成部材２０２を凹部４２の底面まで挿入できない場合、挿通孔４５ａとねじ孔２７ａとが整合せず、作業者は両者を連結することができない。そのため作業者は、縦枠構成部材２０２の連結具４０、１４０への誤挿入を容易に認識することができる。
【００５１】
また縦枠構成部材２０２の端面が平坦である場合に設定される距離を前記所定距離とすることで、傾斜面２６ｂを有する縦枠構成部材２０２を使用するテレビジョン受信機と傾斜面２６ｂを有する縦枠構成部材２０２を使用しないテレビジョン受信機との間で、縦枠構成部材２０２の連結具４０、１４０への誤挿入を防止することができる。
【００５２】
（実施の形態２）
以下本発明を実施の形態２に係るテレビジョン受信機を示す図面に基づいて詳述する。図１２はテレビジョン受信機の部分背面図である。図１２に示すように、突条部２６の下端部右部分には、正面視逆Ｌ形をなす切欠２６ｃが形成してあり、下端部左部分には平坦面２６ａが形成してある。凹部４２の底面右側部分には切欠２６ｃに対応した凸部４２ｃが形成してあり、底面左側部分には平坦面２６ａに対応した平坦面４２ａが形成してある。また挿通孔４５ａの中心と平坦面２６ａとの間の距離ｄ１は、３色の表示パネル１０を搭載したテレビジョン受信機における挿通孔４５ａの中心と平坦面２６ａとの間の距離ｄ２よりも長い。
【００５３】
実施の形態２に係るテレビジョン受信機にあっては、切欠２６ｃに対応した凹部４２に縦枠構成部材２０２の端部を挿入するだけで組み立てることができ、前キャビネット２０の組立に大きな空間を必要とせず、薄型化及び狭額縁化を維持することができる。また一のテレビジョン受信機において、縦枠構成部材２０２の端部に切欠２６ｃを形成し、連結具４０に切欠２６ｃに対応した凹部４２を形成し、他のテレビジョン受信機において、前記切欠２６ｃを有さない縦枠構成部材２０２と、該縦枠構成部材２０２に対応した連結具１４０を使用することによって、誤挿入を防止することができる。
【００５４】
またねじ４７を挿通する挿通孔４５ａから所定距離以上離隔した位置に凹部４２の底面が配してあるので、切欠２６ｃを有さない縦枠構成部材２０２を前記凹部４２に挿入した場合、前記縦枠構成部材２０２を前記凹部４２の底面まで挿入することができない。一般に縦枠構成部材２０２には、挿通孔４５ａに対応したねじ孔２７ａが設けてあり、連結具４０の挿通孔４５ａにねじ４７を挿入し、ねじ孔２７ａに螺合させて両者を連結する。縦枠構成部材２０２を凹部４２の底面まで挿入できない場合、挿通孔４５ａとねじ孔２７ａとが整合せず、作業者は両者を連結することができない。そのため作業者は、縦枠構成部材２０２の連結具４０、１４０への誤挿入を容易に認識することができる。
【００５５】
また縦枠構成部材２０２の端面が平坦である場合に設定される距離を前記所定距離とすることで、切欠２６ｃを有する縦枠構成部材２０２を使用するテレビジョン受信機と切欠２６ｃを有する縦枠構成部材２０２を使用しないテレビジョン受信機との間で、縦枠構成部材２０２の連結具４０、１４０への誤挿入を防止することができる。
【００５６】
（実施の形態３）
以下本発明を実施の形態３に係るテレビジョン受信機を示す図面に基づいて詳述する。図１３はテレビジョン受信機の部分背面図である。図１３に示すように、突条部２６の下端部左右中央部分には、正面視逆Ｕ形をなす切欠２６ｄが形成してあり、下端部左右部分には平坦面２６ａ、２６ａが形成してある。凹部４２の底面左右中央部分には切欠２６ｄに対応した凸部４２ｄが形成してあり、底面左右部分には平坦面２６ａに対応した平坦面４２ａ、４２ａが形成してある。また挿通孔４５ａの中心と平坦面２６ａとの間の距離ｄ１は、３色の表示パネル１０を搭載したテレビジョン受信機における挿通孔４５ａの中心と平坦面２６ａとの間の距離ｄ２よりも長い。
【００５７】
なお本発明は液晶表示装置又はこれを有するテレビジョン受信機に限定されず、例えば有機ＥＬ(Electroluminescence)パネル、プラズマディスプレイパネル等を使用した表示装置又はテレビジョン受信機にも適用することができる。また今回開示した実施の形態は、全ての点で例示であって、制限的なものではないと考えられるべきである。本発明の範囲は、特許請求の範囲内での全ての変更及び特許請求の範囲と均等の範囲が含まれることが意図される。
【符号の説明】
【００５８】
１        テレビジョン受信機
１０      表示パネル
１０ａ    表示面
２０      前キャビネット
２０１    横枠構成部材（枠構成部材）
２０２    縦枠構成部材（枠構成部材）
２５      突条部
２６      突条部
２６ａ    平坦面
２６ｂ    傾斜面
２６ｃ、２６ｄ  切欠
２７ａ    ねじ孔
４０、１４０      連結具
４２      凹部
４２ａ    平坦面
４２ｂ    傾斜面
４２ｃ、４２ｄ  凸部
４５ａ    挿通孔
４７      ねじ
１００    表示装置
２００    チューナ（受信部）
【図１】
2013222104.tif 000003
【図２】
2013222104.tif 000004
【図３】
2013222104.tif 000005
【図４】
2013222104.tif 000006
【図５】
2013222104.tif 000007
【図６】
2013222104.tif 000008
【図７】
2013222104.tif 000009
【図８】
2013222104.tif 000010
【図９】
2013222104.tif 000011
【図１０】
2013222104.tif 000012
【図１１】
2013222104.tif 000013
【図１２】
2013222104.tif 000014
【図１３】
2013222104.tif 000015